(57)【特許請求の範囲】
【請求項１】
統合駆動回路を備えた、蛍光ランプ及び少なくとも１つの発光ダイオード（ＬＥＤ）を駆動する回路であって、前記統合駆動回路が、
前記蛍光ランプを駆動するための少なくとも１つの安定コイルを含む高周波交流（ＡＣ）回路と、
前記ＬＥＤを駆動するため前記蛍光ランプ安定コイルと誘導結合された２次巻線を有するＬＥＤ駆動用低電圧直流回路と、
前記蛍光ランプが点灯し、該蛍光ランプの点灯に必要な高電圧が低下するまで、前記ＬＥＤへの電力を遅延させる電力遅延手段と、
を含み、
前記電力遅延手段が、
前記ＬＥＤに接続する第１のトランジスタ（Ｑ１）と、該第１のトランジスタ（Ｑ１）のゲートに接続する第２のトランジスタ（Ｑ２）とを含み、
前記安定コイルを通る電圧に応じて前記第２のトランジスタのゲート電圧が上昇し、
前記蛍光ランプの点灯に必要な高電圧が存在する場合、前記第２のトランジスタが、前記第１のトランジスタのゲートをｌｏｗにし、前記第１のトランジスタをクローズすることにより、前記ＬＥＤへの電力を遮断し、
前記高電圧が低減した後に、前記第２のトランジスタが、前記第１のトランジスタのゲートをｈｉｇｈにし、前記第１のトランジスタをオープンすることにより、前記ＬＥＤへの電力供給を開始させる、
回路。
【請求項２】
前記ＬＥＤ駆動回路が、誘導結合された巻線及び安定コイルによって前記傾向ランプの点灯に必要な高電圧から保護される、
請求項１に記載の回路。
【請求項３】
前記ＬＥＤが、電圧整流器によって前記２次巻線に間接的に接続される、
請求項１または２に記載の回路。
【請求項４】
前記電圧整流器が、電流発生器、電圧／電流発生器、電圧レギュレータ、タイマー及び、過電圧保護装置のいずれかを含む、
請求項３に記載の回路。
【請求項５】
電球型蛍光ランプ（ＣＦＬ）及び少なくとも１つの発光ダイオード（ＬＥＤ）を駆動する回路であって、
前記ＣＦＬを駆動するための少なくとも１つの安定コイルを含む高周波交流（ＡＣ）回路及び前記ＬＥＤを駆動するための低電圧直流回路を含む統合駆動回路と、
前記ＣＦＬの点灯が終わるまで前記ＬＥＤ回路への電力を遅延させる電力遅延手段と、
を備え、
前記電力遅延手段が、
前記ＬＥＤを駆動するため前記安定コイルと誘導結合された２次巻線と、
前記ＬＥＤに接続する第１のトランジスタ（Ｑ１）と、該第１のトランジスタ（Ｑ１）のゲートに接続する第２のトランジスタ（Ｑ２）とを含み、
前記安定コイルを通る電圧に応じて前記第２のトランジスタのゲート電圧が上昇し、
前記蛍光ランプの点灯に必要な高電圧が存在する場合、前記第２のトランジスタが、前記第１のトランジスタのゲートをｌｏｗにし、前記第１のトランジスタをクローズすることにより、前記ＬＥＤへの電力を遮断し、
前記高電圧が低減した後に、前記第２のトランジスタが、前記第１のトランジスタのゲートをｈｉｇｈにし、前記第１のトランジスタをオープンすることにより、前記ＬＥＤへの電力供給を開始させる、
回路。
【請求項６】
前記電力遅延手段が、電流制限コンデンサ又は、チャージポンプコンデンサを含む、
請求項５に記載の回路。
【請求項７】
前記電力遅延手段が、前記第１のトランジスタのゲートに接続する第１の抵抗ブリッジと、前記第２のトランジスタのゲートに接続する第２の抵抗ブリッジとを含む、
請求項１乃至６のいずれかに記載の回路。
【請求項８】
前記２次巻線が、第２及び第３のショットキーダイオード（Ｄ２、Ｄ３）に接続する第１の２次巻線部分（１３６ａ）と、第１のショットキーダイオード（Ｄ１）に接続する第２の２次巻線部分（１３６ｂ）とを含む、
請求項１乃至６のいずれかに記載の回路。
【請求項９】
前記ＬＥＤの通常の動作時に、ＬＥＤ供給電流が前記第１のトランジスタと前記第２のショットキーダイオード（Ｄ２）のみに流れる、
請求項８に記載の回路。
【請求項１０】
少なくとも１つの蛍光ランプ及び少なくとも１つの発光ダイオード（ＬＥＤ）と前記蛍光ランプ及びＬＥＤ両方に供給するための複合駆動回路とを含むランプ組立体を駆動する方法であって、
前記駆動回路の第１の部分における高電圧ＡＣ源を前記蛍光ランプに供給する段階と、
前記駆動回路の第２の部分における低電圧ＤＣ源を前記ＬＥＤに供給する段階と、
前記蛍光ランプを駆動する前記駆動回路の第１の部分において安定コイルと誘導結合される２次巻線を前記駆動回路の第２の部分に設ける段階と、
前記ＬＥＤに接続する第１のトランジスタ（Ｑ１）を設ける段階と、
前記第１のトランジスタ（Ｑ１）のゲートに接続する第２のトランジスタ（Ｑ２）を設ける段階と、
前記少なくとも１つの安定コイルを通る電圧に応じて前記第２のトランジスタのゲート電圧が上昇する段階と、
前記蛍光ランプの点灯に必要な高電圧が存在する場合、前記第２のトランジスタが、前記第１のトランジスタのゲートをｌｏｗにし、前記第１のトランジスタをクローズすることにより、前記ＬＥＤへの電力を遮断する段階と、
前記高電圧が低減した後に、前記第２のトランジスタが、前記第１のトランジスタのゲートをｈｉｇｈにし、前記第１のトランジスタをオープンすることにより、前記ＬＥＤへの電力供給を開始させる段階と、
を含む方法。
【発明の詳細な説明】
【技術分野】
【０００１】
本出願は、ランプ組立体に関し、より詳細には、蛍光ランプ、より好ましくは電球型蛍光ランプ（ＣＦＬ）光源と少なくとも１つの発光ダイオード（ＬＥＤ）光源とを組み込んだ複合ランプ組立体に関する。より詳細には、本出願は、ランプ組立体を作動させる複合構成、更に詳細には、２つの光源の複合駆動回路に関する。しかしながら、本開示内容は、関連の環境及び応用にも適用できることは理解されるであろう。
【背景技術】
【０００２】
複合光源を有するランプ組立体を提供することは一般的に公知である。例えば、異なるタイプの光源をランプ組立体において組み合わせることができ、この場合、各光源は異なるタイプの光出力を提供し、組み合わされた出力は、何れの光源も単独では達成できない光の混合を可能にする。同一出願人の同時係属のＡｔｔｏｒｎｅｙ  Ｄｏｃｋｅｔ  Ｎｏ.２２６１７７／ＧＥＣＺ  ２  ００８２４（２００８年１月２９日に出願された、米国特許シリアル番号１２／０２１８８０）では、ＣＦＬ光源及び少なくとも１つのＬＥＤ光源を含む複合ランプ組立体を開示しており、当該開示事項は、引用により本明細書に明確に組み込まれる。詳細には、ＬＥＤは、赤色光を放出するものが好ましい。ＬＥＤの赤色光は、ＣＦＬの出力と混合され、有利には、濃い赤色光を複合光出力に提供する。
【０００３】
光源を組み合わせる公知のランプ組立体は通常、別個の第１及び第２の駆動回路、すなわち、ＣＦＬを制御する専用の第１の駆動回路と、ＬＥＤを制御する専用の第２の駆動回路とを利用する。ＣＦＬは、高電圧、ＡＣ源、及び第１の駆動回路を必要とし、すなわち、これらの間に関連している安定器は、継続的に開発及び改善が行われている分野である。他方、ＬＥＤは通常、ＤＣ電源及び低電圧を必要とする。従って、異なるタイプの光源を単一のランプ組立体において組み合わせることは、光出力にとって有利であるが、必要とされる駆動回路はかなり異なるので、この組み合わせは固有の問題を引き起こす。理解されるように、駆動回路が別個になることにより、ランプ組立体に望ましくないコスト及び複雑さが付加される。
【０００４】
更に別の考慮事項は、ランプ組立体のスペース要件である。ランプ組立体に伴う限定的な容積内に別個のＬＥＤ及びＣＦＬ駆動回路を含めることは困難である。同様に、駆動回路が組み合わされる場合には、スペース要件に関して同じ懸念点が尚も存在する。
【０００５】
ラインＡＣ源からのＬＥＤ駆動には幾つかの方法がある。例えば、１つの提案は、低電圧駆動用変圧器と、該変圧器の前又は後にある電流制限用の抵抗器又はコンデンサとを用いる。別の選択肢は、電流制限器又は電流発生装置を備えたスイッチング電源を用いた電流発生回路を利用することである。スイッチング電源は、複数のＬＥＤに接続される。電流は、コンデンサ及び／又は抵抗器により制限される。
【０００６】
統合又は複合回路に対する１つの提案の解決策は、国際特許出願公開ＷＯ２００７／０６６２５２Ａ１で開示されている。ＬＥＤ回路は、蛍光ランプに直列に接続され、蛍光光源を駆動する高周波交流電流がＬＥＤ回路に供給される。各ＬＥＤ回路は、少なくとも３つの平行分岐を有し、すなわち、第１の分岐はインピーダンス回路を含むが、第２及び第３の分岐は、非平行の関係で接続されるＬＥＤを含む。インピーダンス回路は、常に第２及び第３の分岐の１つを通って流れる電流量を制御する（すなわち、高インピーダンスである場合、ＡＣ電流の大部分は第２又は第３の分岐を通り、その逆もまた、低インピーダンスである場合、ＡＣ電流の少ない部分が第２又は第３の分岐を通る。）ＬＥＤは、一方向にのみ電流を流すことができ、第２及び第３の分岐においてＬＥＤは非平行の関係で配列されるので、交流が常に第２及び第３の分岐の一方を流れることができる。
【０００７】
ＬＥＤ及び蛍光ランプは直列に接続されていないので、この解決策は望ましいものではない。上述のように、個々のＬＥＤは通常、ＤＣ電流で駆動され、蛍光ランプはＡＣ電流で駆動されるので、複合ランプ組立体は、必然的に少なくとも２つのＬＥＤを必要とし、すなわち、１つが各電流方向で作動する。更に、構成部品は直列の関係で配列されるので、蛍光ランプ及びＬＥＤ駆動回路を通る電流は必然的に同じである。更に、蛍光ランプの点灯には高電圧を必要とする（例えば、電球型蛍光ランプ組立体では、１００ボルト程度）。この電圧レベルは、場合によってはＬＥＤ光源に損傷を与える可能性があるので望ましいことではない。
【先行技術文献】
【特許文献】
【０００８】
【特許文献１】米国特許出願公開第２００６／００６１３００号
【発明の概要】
【発明が解決しようとする課題】
【０００９】
従って、様々なタイプの光源の競合する異種の要件に対処し且つ上記で認識された欠点を克服する、安価で小型の効率的な複合ランプ組立体及び関連する複合駆動回路に対する必要性がある。
【課題を解決するための手段】
【００１０】
本出願は、第１及び第２の異なる光源（例えば、蛍光ランプ及びＬＥＤ）を複合駆動回路と共に組み込み、ＬＥＤがラインＡＣにより駆動されない複合ランプ組立体を開示している。
【００１１】
蛍光ランプ及び少なくとも１つの発光ダイオード（ＬＥＤ）を駆動する光組立体駆動回路は、好ましくは、蛍光ランプを駆動するための少なくとも１つの安定コイルを含む交流（ＡＣ）回路と、ＬＥＤを駆動するため蛍光ランプ安定コイルと誘導結合された２次巻線を有する直流回路とを備えた統合駆動回路を含む。
【００１２】
別の実施形態では、チャージポンプ回路が従来の蛍光ランプ回路に付加される。チャージポンプコンデンサ内にソフトスイッチングコンデンサが含められる。ＬＥＤに供給される電流は、コンデンサの値、スイッチング周波数、及びＤＣバス電圧によって決まり、すなわち、ＬＥＤへの電流供給の遅延をもたらす。有利には、この遅延は、蛍光ランプを点灯するのに必要な大きな電圧からＬＥＤを保護する。
【００１３】
少なくとも１つの蛍光ランプ及び少なくとも１つの発光ダイオード（ＬＥＤ）と蛍光ランプ及びＬＥＤ両方に供給するための複合駆動回路とを含むランプ組立体を駆動する方法は、蛍光ランプ用駆動回路の第１の部分に高電圧ＡＣを供給する段階と、ＬＥＤ用駆動回路の第２の部分に低電圧ＤＣを供給する段階と、蛍光ランプを駆動する駆動回路の第１の部分において安定コイルと誘導結合される２次巻線を駆動回路の第２の部分に設ける段階と、を含む。
【００１４】
第１の利点は、複合ランプ組立体用の駆動回路を効率的に統合できることである。
【００１５】
別の利点は、様々な光源の異なる必要性に対する低コストの解決策に関する。
【００１６】
更に別の利点は、蛍光ランプ駆動回路に作動的に付随する高電圧からＬＥＤを保護することに関連する。
【００１７】
更に別の利点は、蛍光ランプ駆動装置と組み合わされた、小型で低消費電力のＬＥＤ駆動装置にある。
【００１８】
更なる利点は、点灯中に回路に負荷が加わらないので、ランプ点灯が容易であることによるものである。
【００１９】
更なる利点は、ＬＥＤの過電圧保護により得られる。
【００２０】
更なる利点及び長所は、以下の詳細な説明を読み理解することにより当業者には理解されるであろう。
【図面の簡単な説明】
【００２１】
【図１】本開示の複合駆動回路を組み込んだタイプの複合ランプ組立体を示す図。
【図２】複合ランプ組立体において蛍光光源及びＬＥＤ光源の両方を駆動する複合回路の第１の好ましい実施形態の図。
【図３】複合ランプ組立体の点灯段階中の異なる回路パラメータを示すグラフ。
【図４】ランプ組立体が定常状態作動に達したときの異なる回路パラメータを示す同様のグラフ。
【図５】複合ランプ組立体において蛍光光源及びＬＥＤ光源の両方を駆動する複合回路の第２の好ましい実施形態の図。
【図６】複合ランプ組立体において従来の蛍光光源回路に付加できるＬＥＤ回路の第３の好ましい実施形態の図。
【図７】複合ランプ組立体において蛍光光源及びＬＥＤ光源の両方を駆動する複合回路の第４の好ましい実施形態の図。
【発明を実施するための形態】
【００２２】
図１を参照すると、通常はプラスチックから形成されるハウジング又はシェルに取り付けられた少なくとも１つの低圧放電管１０４を含む低圧蛍光放電ランプを有するＬＥＤ統合蛍光ランプが示されている。図示の実施形態では、蛍光ランプ又は光源は、２つのほぼＵ字形の低圧放電管１０８を含み、各放電管が白色光（３０００Ｋ〜４０００Ｋ、４８０〜１２００ｌｍ）を放射するＣＦＬランプである。勿論、細長い経路を有し、一般に当業者には公知の形の螺旋放電管のような他の蛍光ランプ構成を用いることもできる点は理解されるであろう。この放電管構成１０２及びシェル１０６は、単一要素として共に組み立てることができる。
【００２３】
ガラスエンベロープのようなエンベロープは、蛍光放電ランプ構成１０２を囲む。外側エンベロープは、ハウジングの一方端に固定され、ハウジングの他方端は通常、ランプ組立体を関連するランプ取付具又はランプホルダ（図示せず）に機械的及び電気的に接続するためのエジソン形ネジ付きベース１２２などのベースを含む。ＬＥＤ１２４はベース内に設けられ、真鍮リングなどのヒートシンクに接続されて熱を放散することができる。加えて、細長い線形光ガイドとして本実施形態で示される光ガイド１２８は、ベース内に配置されたＬＥＤから光を受けて、当該光（例えば、ＬＥＤにより放出される赤色光）を放電管１０８の近傍又は露出長さに沿って運び、ここでＬＥＤ赤色光は、ＣＦＬからの白色光と有利に混合される。
【００２４】
ランプ電子装置は、ベース内に密封されることが多い。蛍光ランプは、従来のＡＣ電源によって駆動され、放電管においてアークを引き起こし、ＣＦＬの定常状態運転をもたらすための安定コイル１３０及び関連の電子装置を含む。ＣＦＬ電子装置の詳細及び作動は、当該技術分野において公知であるので、これ以上の検討は、本開示の理解を完全にするためには必要ではないと考えられる。更に、放電管は、アークを引き起こすために高電圧レベル（例えば、１００ボルト又はそれ以上の程度）が必要とされ、従って、アーク放電を連続して作動させるために低電圧レベルを必要とすることは理解される。しかしながら、上述のように、高電圧レベルは、ＬＥＤ光源に悪影響を及ぼす可能性がある。
【００２５】
本開示は、蛍光ランプ及びＬＥＤ用の駆動回路を、有利にはＬＥＤ駆動回路をＣＦＬ安定器に接続する複合的な解決策に一意的に統合する。より詳細には、図２を参照すると、安定コイル１３０は、ＣＦＬ駆動回路１３２の例示的な構成部品である。ＬＥＤ駆動回路１３４は、安定コイル１３０に関連する２次巻線から給電される。好ましくは、２次巻線は、ＣＦＬ安定器１３０の変圧器／コイルと誘導結合され、２次巻線がＬＥＤ回路を駆動する。従って、ＬＥＤ回路の電流は、ＣＦＬ安定器が点灯モード又は定常状態モードであるかに依存する。２次巻線は、中心にタップ立てされ、第１及び第２の２次巻線部分１３６ａ、１３６ｂを含み、ダイオードＤ１及びＤ２を介して全波整流器を形成する。この構成は、電圧降下がＧｒａｅｔｅｚブリッジと比べたときにおよそ２分の１であるので好ましい。更に、適用したダイオードＤ１，Ｄ２は、更に効率を増大させる低電圧ショットキーダイオードである。
【００２６】
第１及び第２の電界効果トランジスタ（ＦＥＴ）Ｑ１、Ｑ２を回路に組み込み、ＣＦＬの点灯中にＬＥＤを保護するようにする。既知のように、トランジスタは、チャンネルの伝導度を制御するのに電界に依存し、詳細には、ゲート端子がソースからドレインへの電子の流れを制御する。ここで、抵抗ブリッジＲ３、Ｒ４は、電界効果トランジスタＱ１、Ｑ２のゲート電圧を制御し、該電圧は、ダイオードＤ３及びコンデンサＣ１により供給される。ＣＦＬ点灯中に安定コイルを通る電圧がｈｉｇｈである場合、Ｑ２のゲート電圧は、ＦＥＴ  Ｑ２オープンレベルにまで上昇する。Ｑ２がオープンになると、Ｑ１のゲートはｌｏｗにプルされ、Ｑ１がクローズされる。従って、電流はＦＥＴ  Ｑ１を通過できず、ＬＥＤがオフになる。
【００２７】
しかしながら、ランプが点灯した後、安定器１次コイルの電圧は、定常状態動作にまで低減され、同様に、２次巻線１３６ａ、１３６ｂの電圧が低減される。電圧レベルの低下の結果として、Ｒ３及びＲ４により設定されるそのゲート電圧はオープン電圧よりも低くなるので、電界効果トランジスタＱ２はクローズする。この結果、Ｑ１のゲート電圧がＲ２、Ｒ３により設定され、Ｑ１がオープンし、電流フローの結果としてＬＥＤが点灯される。ＬＥＤの通常の定常動作を達成すると、ＬＥＤ供給電流が１つのＦＥＴ  Ｑ１と１つのショットキーダイオード２のみ流れることから、このＬＥＤでの電圧降下が極めて小さいので、図２の回路構成は更に有利である。
【００２８】
これらの関係は、図３及び４にグラフで示されている。具体的には、図３に関して、蛍光ランプにおいてアークを引き起こすのに必要な高電圧ＶＣＦＬが、３つのグラフ表示の下側プロットＣ３に示されている。蛍光ランプ又はＣＦＬが点灯すると、電圧ＶＣＦＬは、ＣＦＬの定常状態動作中に低電圧で示され且つｘ軸に沿って時間的に後で示されるようにかなり低減される。ＦＥＴトランジスタＱ１のゲートでの対応する電圧Ｖｇａｔｅは、点灯電圧レベルＶＣＦＬが低動作レベルにまで低下した後の時点で図の上側プロットにおいて増大するよう示されている。同様に、図３の中間プロットで示されるように、ＬＥＤを通過する電流ＩＬＥＤの流れは、ＣＦＬの点灯電圧がより低い定常状態レベルにまで低下するまで発生しない。図４は、複合ＣＦＬ／ＬＥＤランプの複合作動中に、これらのパラメータＶＣＦＬ、Ｖｇａｔｅ、及びＩＬＥＤの複合グラフ表現である。
【００２９】
図５は、蛍光ランプ１５２を動作させる典型的なＣＦＬ安定器１５０を示しており、ここではＬＥＤ１５４は、ソフトスイッチングコンデンサＣｏから給電される。チャージポンプ回路（図５のボックス部分１５６で表される）は、従来のＣＦＬ安定器に付加され、チャージポンプ回路は、コンデンサＣｏ、ダイオードＤ３、Ｄ４、及びコンデンサＣ１を含む。チャージポンプ回路１５６は、スイッチング周波数でＣＦＬ安定器から駆動される。始動時には、コンデンサＣｐ両端で発生する電圧は、ランプを点灯させるのに十分である。この始動電圧振幅でのスイッチング周波数は、蛍光ランプがアークモードを達成しているときの定常状態動作周波数に近接している。コンデンサＣｉの両端電圧は、ＬＥＤを導通できるように増大する。
【００３０】
Ｃｏは、ソフトスイッチングコンデンサ及びチャージポンプコンデンサとして機能する。ＬＥＤに供給される電流は、Ｃｏ、スイッチング周波数、及びＤＣバス電圧Ｖの値により決定される。従って、この構成は、ＬＥＤへの電流供給に遅延をもたらし、これにより、点灯電圧が低下した後にチャージポンプ回路だけがＬＥＤへの電流フローを提供するので、蛍光ランプを点灯するのに必要な大電流からＬＥＤを保護するのが有利である。
【００３１】
比較的簡単な代替のＬＥＤ回路が図６に示されている。この場合も同様に、２次巻線１６２は、有利には、ＣＦＬ又は蛍光ランプに関連する１次コイル又は安定コイルにおける電圧からＬＥＤ回路の電流フローを誘起するのに使用される。コンデンサ１６４は、ＬＥＤ回路１６０を通る電流を制限するのに使用される。電力ツエナーダイオードは、ＬＥＤ両端の電圧をクランプするためにＬＥＤ１６８に平行に含められる。この簡単な回路１６０は、ＬＥＤ両端の電圧がツエナーダイオードによりクランプされるので、蛍光ランプ／ＣＦＬの点灯中の安定器により発生する高電圧からＬＥＤを保護する。
【００３２】
複合ランプ組立体における蛍光ランプ１８２及びＬＥＤ１８４の安定回路１８０の更に別の実施形態が図７に示されている。２次コイルＴ１０１−Ａ及び電界効果トランジスタＱ１０は、従来のＣＦＬ駆動回路１８６に付加された構成部品である。ランプ点灯後、Ｑ１０がターンオンすると、Ｔ１０１−Ａの電圧は、ＬＥＤ回路部分１９０の２次巻線Ｔ１０１−Ｂの電圧を誘起する。方形波電圧が整流されて一定のＤＣ電流を供給し、複合回路のＬＥＤ回路部分１９０におけるＬＥＤ１８４を駆動する。
【００３３】
４つのダイオード１９６ａ〜ｄが方形波電圧の所望の整流を提供する。更に、複合回路の蛍光ランプ部分におけるＲＣネットワーク１９８は、Ｑ１０がランプ点灯後までターンオンしないように構成される。同様に、２次巻線を介したこの遅延及び結合は、蛍光ランプ点灯に関連する高電圧からＬＥＤを保護する。
【００３４】
本開示事項は、好ましい実施形態を参照しながら説明してきた。前述の詳細な説明を読み理解すれば、当業者には修正及び変更が想起されることは明らかであろう。例えば、ＬＥＤは、電圧整流器を介して２次巻線に間接的に接続することができ、ここで電圧整流器は、本開示の範囲及び意図から逸脱することなく、一般に当該技術分野で知られるように、電流発生器、電圧／電流発生器、電圧レギュレータ、及び／又は過電圧保護装置を含むことができる。また、電気的実施において、高電圧とは一般に１２０〜７５０キロボルトの範囲を意味し、低電圧とは０から７００ボルトを意味すると認識される。従って、本開示に関連する高電圧の範囲は、電気的実施においてこの高電圧の一般的理解を誤って解釈すべきではない。更に、本開示において、ＬＥＤ及びＣＦＬの動作電流は、共に、数百ミリアンペアの規模である。一般的に、本開示では、ＬＥＤはＣＦＬよりも高電流により駆動される。本発明はかかる修正又は変更の全てを包含するとみなされるものとする。
【符号の説明】
【００３５】
１３０  安定コイル
１３２  ＣＦＬ駆動回路
１３４  ＬＥＤ駆動回路
１３６  ２次巻線
【図１】
0005759178.tif 000002
【図２】
0005759178.tif 000003
【図３】
0005759178.tif 000004
【図４】
0005759178.tif 000005
【図５】
0005759178.tif 000006
【図６】
0005759178.tif 000007
【図７】
0005759178.tif 000008